(57)【要約】【課題】予め画像処理サーバに特定の記憶領域を所有していないユーザであっても簡単な設定でアクセス権を有するスキャン画像のネットワーク送信を行うことができるようにすること。【解決手段】第１の画像処理クライアントであるネットワークスキャナ２は、画像の読み取り、宛先およびアクセス権の設定を行って、この宛先およびアクセス権に関わる制御データを画像に対応付けて画像処理サーバ１へ送信する。画像処理サーバ１はインターネットＮ２を介して宛先指定された第２の画像処理クライアントであるパーソナルコンピュータＰＣへその制御データを送信する。パーソナルコンピュータＰＣはこの制御データを画像処理サーバ１へ送信することで、制御データを受け取った画像処理サーバ１が制御データのアクセス権に基づき、この制御データに対応付けされた画像をインターネットＮ２を介してパーソナルコンピュータＰＣへ送信する。【選択図】図１
2006025072.tif 000002
【特許請求の範囲】
【請求項１】
クライアントからネットワークを介して送られる画像を格納するファイルシステムと、
前記クライアントから送られる前記画像に対するアクセス権に関わる制御データを別のクライアントへ送信する制御データ送信手段と、
前記別のクライアントから送られる前記制御データのアクセス権に基づき前記ファイルシステムに格納された前記画像を前記別のクライアントへ送信する画像送信手段と
を備えることを特徴とする画像処理サーバ。
【請求項２】
前記制御データ送信手段は、前記制御データを前記別のクライアント宛の電子メールに添付して送信する
ことを特徴とする請求項１記載の画像処理サーバ。
【請求項３】
画像を読み取るスキャナ部と、
前記スキャナ部で読み取った画像の送り先および前記画像のアクセス権を設定する設定手段と、
前記設定手段で設定した前記画像の送り先および前記画像のアクセス権から制御データを生成する制御データ生成手段と、
前記画像をネットワークを介して画像処理サーバへ送信するとともに、前記制御データ生成手段で生成した前記制御データを前記画像に対応させて前記画像処理サーバへ送信する送信手段と
を備えることを特徴とする画像処理クライアント。
【請求項４】
前記設定手段は、前記アクセス権の設定のほか、前記画像の送信先となる他のクライアント宛の電子メールアドレスを受け付け可能となっており、
前記送信手段は、前記画像および前記制御データのほか、前記設定手段で受け付けた前記電子メールアドレスを前記画像処理サーバへ送信する
ことを特徴とする請求項３記載の画像処理クライアント。
【請求項５】
前記制御データ生成手段は、前記制御データとして前記画像のアクセス権のほか、前記スキャナ部の設置場所の情報を含める
ことを特徴とする請求項３記載の画像処理クライアント。
【請求項６】
画像処理サーバから送られる画像のアクセス権に関わる制御データを受信する制御データ受信手段と、
前記制御データ受信手段で受信した前記制御データを前記画像処理サーバへ送信する制御データ送信手段と、
前記制御データ送信手段で送信した前記制御データに基づくアクセス権に応じて前記画像処理サーバから送信された画像を受信する画像受信手段と
を備えることを特徴とする画像処理クライアント。
【請求項７】
前記制御データ受信手段は、前記制御データを電子メールの添付ファイルとして受信する
ことを特徴とする請求項６記載の画像処理クライアント。
【請求項８】
第１の画像処理クライアントのスキャナ部で画像を読み取り、前記画像のアクセス権に関わる制御データを前記画像に対応付けてネットワークを介して画像処理サーバへ送信する工程と、
前記画像処理サーバからネットワークを介して第２の画像処理クライアントへ前記制御データを送信する工程と、
前記制御データを受信した前記第２の画像処理クライアントから前記画像処理サーバへ前記制御データを送信することで、前記画像処理サーバから前記制御データのアクセス権に基づき、この制御データに対応付けされた画像をネットワークを介して前記第２の画像処理クライアントへ送信する工程と
を備えることを特徴とする画像処理方法。
【請求項９】
請求項８に記載の画像処理方法を実現させるためのコンピュータ・プログラム。
【請求項１０】
請求項９に記載のコンピュータ・プログラムを格納した記憶媒体。
【発明の詳細な説明】
【技術分野】
【０００１】
本発明は、画像処理クライアントから送信された画像を受け取り、他の画像処理クライアントへ送る画像処理サーバおよび画像処理サーバへ画像を送信する、もしくはこの画像を画像処理サーバから受け取る画像処理クライアントならびに第１の画像処理クライアントから画像処理サーバを介して第２の画像処理クライアントへ画像を送る画像処理方法に関する。
【背景技術】
【０００２】
特許文献１〜特許文献５では、ネットワーク接続されたスキャナ装置において、ユーザがクライアント識別子やＩＤ（識別情報）といった情報を手で入力するかＩＣカードから読み込ませて、その情報を元にスキャン画像データをユーザが所有する記憶領域に転送する技術が開示されている。この際、ユーザがクライアント識別子やＩＤといった情報をスキャナに与えなかった場合には、スキャン画像データは共有記憶領域に転送される。
【０００３】
【特許文献１】特開平１１−１２０３６９号公報
【特許文献２】特開平１１−１２２４４４号公報
【特許文献３】特開平１１−１９６２２４号公報
【特許文献４】特開２０００−０６９２２１号公報
【特許文献５】特開２００１−１４８７５３号公報
【発明の開示】
【発明が解決しようとする課題】
【０００４】
これらのケースにおいて、スキャン画像データにアクセス制限を設定して共有したい場合には、クライアント識別子やＩＤを所有しているユーザが、自らの所有する記憶領域にスキャン画像データを転送し、その記憶領域に対するアクセス制限を設定することにより、スキャン画像データへのアクセス制限を実現することになる。したがって、クライアント識別子やＩＤと、それに対応した記憶領域を所有しないユーザが、スキャン画像データを生成してアクセス権を設定し、ネットワーク上で公開することは困難である。
【課題を解決するための手段】
【０００５】
本発明は、このような課題を解決するために成されたものである。すなわち、本発明は、クライアントからネットワークを介して送られる画像を格納するファイルシステムと、クライアントから送られる画像に対するアクセス権に関わる制御データを別のクライアントへ送信する制御データ送信手段と、別のクライアントから送られる制御データのアクセス権に基づきファイルシステムに格納された画像を別のクライアントへ送信する画像送信手段とを備える画像処理サーバである。
【０００６】
また、本発明は、画像を読み取るスキャナ部と、スキャナ部で読み取った画像の送り先および画像のアクセス権を設定する設定手段と、設定手段で設定した画像の送り先および画像のアクセス権から制御データを生成する制御データ生成手段と、画像をネットワークを介して画像処理サーバへ送信するとともに、制御データ生成手段で生成した制御データを画像に対応させて画像処理サーバへ送信する送信手段とを備える画像処理クライアントである。
【０００７】
また、本発明は、画像処理サーバから送られる画像のアクセス権に関わる制御データを受信する制御データ受信手段と、制御データ受信手段で受信した制御データを画像処理サーバへ送信する制御データ送信手段と、制御データ送信手段で送信した制御データに基づくアクセス権に応じて画像処理サーバから送信された画像を受信する画像受信手段とを備える画像処理クライアントである。
【０００８】
また、本発明は、第１の画像処理クライアントのスキャナ部で画像を読み取り、画像のアクセス権に関わる制御データを画像に対応付けてネットワークを介して画像処理サーバへ送信する工程と、画像処理サーバからネットワークを介して第２の画像処理クライアントへ制御データを送信する工程と、制御データを受信した第２の画像処理クライアントから画像処理サーバへ制御データを送信することで、画像処理サーバから制御データのアクセス権に基づき、この制御データに対応付けされた画像をネットワークを介して第２の画像処理クライアントへ送信する工程とを備える画像処理方法である。
【０００９】
このような本発明では、画像処理クライアントのスキャナ部で読み取った画像の送り先およびアクセス権を設定し、この送り先およびアクセス権に関わる制御データを生成して画像とともに画像処理サーバへ送信する。画像処理サーバは画像処理クライアントから送られてきた画像および制御データをファイルシステムに格納し、制御データを画像の送り先となる他の画像処理クライアントに送信する。制御データを受け取った他の画像処理クライアントがこの制御データを画像処理サーバへ送信すると、画像処理サーバは制御データのアクセス権に基づき、ファイルシステムに格納した画像を他の画像処理クライアントへ送信する。このような画像処理クライアントおよび画像処理サーバによって、スキャナ部で読み取った画像毎に(画像が複数ページで構成される場合はページ毎に)アクセス権を設定して画像を送受信することができるようになる。
【発明の効果】
【００１０】
したがって、本発明によれば、例えばコンビニエンスストアに設置されているネットワーク接続されたスキャナ装置(例えば、カラー複写機)を利用して、スキャン部で読み取った画像を画像処理サーバに登録および格納し、この画像毎に(画像が複数ページで構成される場合はページ毎に)アクセス権を設定してアクセス権に応じた利用が可能となる。これにより、予めクライアント識別子やＩＤといった情報や画像処理サーバに特定の記憶領域を所有しないユーザであっても、簡単な操作のみでスキャン部で読み取った画像についてのアクセス権を設定し、このアクセス権に基づいた画像の送受信を行うことが可能となる。
【発明を実施するための最良の形態】
【００１１】
以下、本発明の実施の一形態を図に基づき説明する。なお、本実施形態では、例えばコンビニエンスストアに設置されているネットワーク接続されたスキャナ装置(例えば、カラー複写機)において、ユーザが原稿をスキャンして生成したスキャン画像データを、ネットワーク上の画像処理サーバに送信して登録し、ネットワーク接続された他の場所のコンピュータからこのスキャン画像データを利用できるようにするシステムを例とする。
【００１２】
図１は、本実施形態が適用されるシステム構成図である。本実施形態の画像処理サーバ１は店舗用ネットワークＮ１およびインターネットＮ２に接続されている。店舗用ネットワークＮ１にはコンビニエンスストア等の各店舗に設置された画像処理クライアントとなるカラー複写機などのネットワークスキャナ２が接続され、インターネットＮ２には他の画像処理クライアントであるパーソナルコンピュータＰＣ（例えば、ＰＣ１〜ＰＣ３）が接続されている。
【００１３】
このようなシステム構成において本実施形態では、画像処理サーバ１に特別な記憶領域を所有しないユーザであっても、店舗のネットワークスキャナ２で取り込んだ画像を画像処理サーバ１に登録でき、しかもこの画像にアクセス権を設定して、インターネットＮ２に接続されたパーソナルコンピュータＰＣから利用できるようになっている。
【００１４】
図２は画像処理サーバの構成を説明するブロック図である。画像処理サーバは、システム制御部１１、ファイルシステム１２および送受信部１３を備えている。すなわち、画像処理サーバは、図１に示すネットワークスキャナ２で読み込んだ画像およびこの画像の宛先やアクセス権に関わる制御データを店舗用ネットワークＮ１を介して送受信部１３で受信し、ファイルシステム１２に格納する。また、画像処理サーバは、この画像に対応して送られる制御データを送受信部１３からインターネットＮ２を介して宛先として指定されたパーソナルコンピュータＰＣへ送信する。なお、この制御データの送信は、宛先となるパーソナルコンピュータＰＣへ電子メールの添付ファイルとして送る。
【００１５】
また、画像処理サーバは、パーソナルコンピュータＰＣから送られる制御データを送受信部１３で受信し、この制御データによるアクセス権を解析し、そのアクセス権に応じて画像をファイルシステム１２からインターネットＮ２を介して制御データの送信元となっているパーソナルコンピュータＰＣへ送信する。
【００１６】
図３は、ネットワークスキャナの構成を説明するブロック図である。ネットワークスキャナは、スキャナ部２１、画像処理部２２、ファイルシステム２３、操作パネル２４、システム制御部２５、制御データ生成部２６、送信部２７を備えている。スキャナ部２１は、ユーザが用意した所望の原稿（画像）を画像データ（スキャン画像）として読み取る部分である。画像処理部２２は、スキャナ部２１で読み取った画像データに対して拡大、縮小、色合い、シャープネス等の所望の画像処理を施し、ファイルシステム２３に格納する部分である。
【００１７】
操作パネル２４は、ユーザによる各種の設定を受け付ける入力手段（タッチパネル、キースイッチ等）およびモニタから構成される。システム制御部２５は、各部を制御する部分である。制御データ生成部２６は、スキャナ部２１で読み取った画像に対するアクセス権や画像の宛先に関する制御データを生成する部分である。送信部２７は、スキャナ部２１で読み取った画像およびこの画像に対応した制御データを店舗用ネットワークＮ１を介して画像処理サーバ１（図１参照）へ送信する処理を行う。
【００１８】
図４は、他の画像処理クライアントとなるパーソナルコンピュータの構成を説明するブロック図である。パーソナルコンピュータは、システム制御部３１、表示部３２、送受信部３３を備えている。システム制御部３１は、各部の制御を行う。表示部３２は、受け取った電子メールの内容を表示したり、インターネットＮ２を介してダウンロードしたＨＴＭＬ（Hyper Text Markup Language）等のデータを表示する部分である。
【００１９】
送受信部３３は、制御データ受信部３３ａ、制御データ送信部３３ｂ、画像受信部３３ｃから構成される。このうち制御データ受信部３３ａは、画像処理サーバからインターネットＮ２を介して送られてくる制御データを電子メールの添付ファイルとして受信する部分である。また、制御データ送信部３３ｂは、電子メールの添付ファイルとして受け取った制御データをインターネットＮ２を介して画像処理サーバへ送信する部分である。また、画像受信部３３ｃは、制御データに対応した画像を画像処理サーバからダウンロードして受け取る部分である。
【００２０】
本実施形態では、このような構成から成る画像処理サーバ１、ネットワークスキャナ２およびパーソナルコンピュータＰＣによってアクセス権の設定された画像の送受信を実現するものである。
【００２１】
次に、図５のフローチャートに沿って本実施形態の画像処理方法を説明する。なお、図５のフローチャートのうち、ステップＳ１〜Ｓ５まではネットワークスキャナによる処理、ステップＳ６〜Ｓ７およびステップＳ９は画像処理サーバによる処理、ステップＳ８およびステップＳ１０はパーソナルコンピュータによる処理である。以下の説明で図５に示されない符号は図１〜図４を適宜参照するものとする。
【００２２】
先ず、ステップＳ１に示すように、ネットワークスキャナ２の操作パネル２４に表示されたメニュー画面からユーザがネットスキャンを選択すると、操作パネル２４にはこれからスキャンする画像のパラメータ（スキャンパラメータ）設定を行うための画面が表示される。ユーザは、スキャンパラメータとして、例えばカラーモード（フルカラー、グレイスケール、白黒２値等）や解像度、倍率、ファイル形式の設定を行う（ステップＳ２）。
【００２３】
次に、ステップＳ３に示すように、スキャナ部２１に原稿を載置して画像のスキャンを行う。スキャンした画像はネットワークスキャナ２の画像処理部２２で所定の画像処理が施された後、ファイルシステム２３に格納される。次に、宛先とアクセス権の設定を行うための画面が表示され、ユーザは、画像の宛先となる電子メールアドレスを設定するとともに、この画像に対するアクセス権の設定を行う（ステップＳ４）。その後、ネットワークスキャナ２の制御データ生成部２６は、先にユーザが設定した画像の宛先（電子メールアドレス）やアクセス権に関する制御データを生成する（ステップＳ５）。次いで、ステップＳ６に示すように、ネットワークスキャナ２は、送信部２７から店舗用ネットワークＮ１を介して画像処理サーバ１へスキャンした画像とこれに対応する制御データをサーバへ送信する。この際、制御データは暗号化して送信してもよい。
【００２４】
次に、ステップＳ７に示すように、店舗用ネットワークＮ１を介してネットワークスキャナ２から送信された画像と制御データを画像処理サーバ１の送受信部１３で受信し、ファイルシステム１２に登録する。続いて、画像処理サーバ１は、制御データを電子メールの添付ファイルとして宛先のアドレスへ電子メールで送信する（ステップＳ８）。この電子メールはインターネットＮ２に接続された図示しない電子メールサーバへ送られ、パーソナルコンピュータＰＣで受け取ることになる。
【００２５】
次に、ステップＳ９に示すように、電子メールを受け取ったパーソナルコンピュータＰＣから電子メールに添付された制御データをインターネットＮ２を介して画像処理サーバ１へ送信する。画像処理サーバ１はパーソナルコンピュータＰＣから送られてきた制御データを受け取り、制御データから対応する画像およびアクセス権を解析する。そして、制御データに対応する画像をファイルシステム１２から読み出し、インターネットＮ２を介して制御データの送信元となるパーソナルコンピュータＰＣへ送信する（ステップＳ１０）。パーソナルコンピュータＰＣでは、アクセス権に基づく画像の処理を行うことが可能となる（ステップＳ１１）。
【００２６】
次に、上記のような画像処理方法を図６〜図９に示す画面の遷移に沿って説明する。先ず、ユーザがネットワークスキャナ２のメニュー画面からネットスキャンを選択すると、図６に示すようなメール宛先入力およびアクセス権の設定画面が表示される。このメールアドレスは、画像処理サーバ１から画像および制御データを送る電子メールアドレスである。この電子メールアドレスには、ユーザ本人宛と、スキャン画像に対するアクセス権別の宛先を指定することができる。
【００２７】
アクセス権の例としては、読み取り専用、編集可能(サーバ上でのスキャン画像データに対する画像処理適用を許可する)等がある。同時に、ユーザに暗証番号などのパスワード入力を求め、入力されたパスワードに上記アクセス権に応じた情報を付加し、暗号化を適用するなどしてアクセス権に応じた制御データを生成してもよい。暗証番号やパスワードの代わりに、ユーザの指紋などバイオメトリクス情報を使用する場合もある。制御データは、スキャン画像データに埋め込むか添付するなどして一対一に対応させ、画像処理サーバ１に格納する。
【００２８】
電子メールの宛先およびアクセス権の設定が完了すると、次に図７に示すような画像読取のパラメータ設定画面が表示される。ここではカラーモード（フルカラー、グレイスケール、白黒２値等）や解像度、倍率、ファイル形式の設定を行うことができる。また、設定後にスキャナ部２１に原稿を載置し、「読み取り」ボタンを選択すると、その読み取った画像のプレビューが表示される。そして、読み取った画像で良ければ「送信登録」ボタンを選択する。このボタンの選択によって読み取った画像と先に設定した電子メールアドレスおよびアクセス権に関わる制御データが店舗用ネットワークＮ１を介して画像処理サーバ１へ送信されることになる。
【００２９】
画像処理サーバ１は、ネットワークスキャナ２から送られてきたスキャン画像を受信して登録を受け付けると、スキャン画像を一意に特定するためのスキャン登録番号（パスコード）を生成し、生成されたスキャン登録番号（パスコード）に対応付けて受信したスキャン画像を登録する。ここで、パスコードとはスキャン画像を一意に特定するための識別情報であり、例えば、スキャン画像ごとに生成されるユニークな文字列（アルファベットおよび数字などの列）である。このパスコードは、スキャン画像のファイル名や格納場所の名前に使用する場合もある。
【００３０】
画像処理サーバ１は、ユーザがスキャン時に入力し指定した電子メールアドレスに、スキャン画像の格納場所と制御データとを提供する電子メール（通知メール）を送信する。なお、画像を送るユーザがネットワークスキャナ２で予め指定することにより、通知メールにスキャン画像のサムネイル画像を添付することも可能である。
【００３１】
通知メールの受信者は、パーソナルコンピュータＰＣのブラウザを用い、スキャン画像の格納場所にネットワーク経由でアクセスする。図８はスキャン画像の格納場所にアクセスした際のブラウザ画面の例を示す図である。この画面には制御ファイル（アクセス制御ファイル）の場所を指定するテキストボックスが表示され、ここに直接パスを入力するか、もしくは「場所」ボタンを選択し、画面表示から制御ファイルを指定する。この制御ファイルを送信するまでは、画面に「スキャン画像ダウンロード不可」の文字が表示され、画像を取り出すことができない状態を示している。
【００３２】
制御ファイルを指定して「入力」ボタンを選択すると、図９に示すブラウザ画面に遷移する。この画面では、先の表示まで「スキャン画像ダウンロード不可」になっていた表示が「スキャン画像ダウンロード可」に変化しており、表示されているスキャン登録番号の画像を画像処理サーバ１からパーソナルコンピュータＰＣにダウンロードできることを示している。このダウンロードでは、制御データが持つアクセス権に応じて、スキャン画像データを利用することが可能となる。
【００３３】
このような処理により、ネットワークスキャナ２で読み込んだスキャン画像をインターネットＮ２に接続された外部のパーソナルコンピュータＰＣでダウンロードできるとともに、ネットワークスキャナ２で読み込む際に指定したアクセス権による画像の取り扱い制限をかけることも可能となる。
【００３４】
なお、上記説明した制御データは、宛先およびアクセス権に関するデータから構成しているが、他のデータを制御データに取り込んでもよい。例えば、ネットワークスキャナ２が設置されている場所（地域や店番号）、店舗番号、機械番号、日時、スキャンジョブ番号、ユーザが設定したパスワード、画像が複数ページで構成される場合のページ毎のアクセス権、などを埋め込むことで、画像を取り込んだ場所を容易に特定することができ、どこから送信した画像であるかを受信側で簡単に把握できるようになる。
【００３５】
また、画像の宛先となる画像処理クライアントとしてインターネットＮ２に接続されたパーソナルコンピュータＰＣを例としてが、ＰＤＡ等の携帯端末や携帯電話機などであっても可能である。さらに、上記説明で用いたネットワーク（店舗用ネットワークＮ１、インターネットＮ２）としては、これら以外のネットワークであってもよい。
【図面の簡単な説明】
【００３６】
【図１】本実施形態が適用されるシステム構成図である。
【図２】画像処理サーバの構成を説明するブロック図である。
【図３】ネットワークスキャナの構成を説明するブロック図である。
【図４】他の画像処理クライアントとなるパーソナルコンピュータの構成を説明するブロック図である。
【図５】本実施形態の画像処理方法を説明するフローチャートである。
【図６】画面遷移を説明する図（その１）である。
【図７】画面遷移を説明する図（その２）である。
【図８】画面遷移を説明する図（その３）である。
【図９】画面遷移を説明する図（その４）である。
【符号の説明】
【００３７】
１…画像処理サーバ、２…ネットワークスキャナ、１１…システム制御部、１２…ファイルシステム、１３…送受信部、２１…スキャナ部、２２…画像処理部、２３…ファイルシステム、２４…操作パネル、２５…システム制御部、２６…制御データ生成部、２７…送信部、３１…システム制御部、３２…表示部、３３…送受信部、３３ａ…制御データ受信部、３３ｂ…制御データ送信部、３３ｃ…画像受信部、Ｎ１…店舗用ネットワーク、Ｎ２…インターネット、ＰＣ１〜ＰＣ３…パーソナルコンピュータ
【図１】
2006025072.tif 000003
【図２】
2006025072.tif 000004
【図３】
2006025072.tif 000005
【図４】
2006025072.tif 000006
【図５】
2006025072.tif 000007
【図６】
2006025072.tif 000008
【図７】
2006025072.tif 000009
【図８】
2006025072.tif 000010
【図９】
2006025072.tif 000011